(57)【要約】【課題】車両に搭載された各種装置の操作設定を簡易な入力操作により行うことができる車載情報処理装置を提供する。【解決手段】タッチパネルディスプレイ２０と、入力操作に基づいて横方向の第１のユーザー操作及び縦方向の第２のユーザー操作を検出する入力検出部と、車載機器に関する情報であるメインコンテンツ及び車載機器の設定項目に関する情報であるサブコンテンツが記憶された記憶部と、メインコンテンツ及びサブコンテンツをタッチパネルディスプレイ２０に表示し、第１のユーザー操作及び第２のユーザー操作が実行された際に車載機器を制御する表示制御部とを備え、表示制御部は、第１のユーザー操作が検出されたときに、複数のメインコンテンツのうちの一つを選択状態とし、第２のユーザー操作が検出されたときに、選択状態にあるメインコンテンツの表示領域内に表示されたサブコンテンツに対応した設定項目について車載機器を制御する。【選択図】図２
2017047781.tif 000002
【特許請求の範囲】
【請求項１】
車載機器に関する情報である複数のメインコンテンツ及び前記車載機器の設定項目に関する情報である複数のサブコンテンツが記憶された記憶部と、
前記メインコンテンツ及びサブコンテンツを表示し、入力操作を受け付けるタッチパネルディスプレイと、
前記入力操作に基づいて第１のユーザー操作及び第２のユーザー操作を検出する入力検出部と、
前記メインコンテンツ及び前記サブコンテンツを前記タッチパネルディスプレイに表示させ、前記メインコンテンツ及び前記サブコンテンツに対して前記第１のユーザー操作及び前記第２のユーザー操作が実行された際に前記車載機器を制御する表示制御部と、を備え、
前記表示制御部は、
複数の前記メインコンテンツを前記タッチパネルディスプレイに表示させ、
前記メインコンテンツの表示領域内に、当該メインコンテンツの前記車載機器に対応した前記サブコンテンツの一つを表示し、
前記第１のユーザー操作が検出されたときに、複数の前記メインコンテンツのうちの一つを選択状態とし、
前記第２のユーザー操作が検出されたときに、選択状態にある前記メインコンテンツの表示領域内に表示された前記サブコンテンツに対応した設定項目について前記車載機器を制御する
ことを特徴とする車載情報処理装置。
【請求項２】
請求項１に記載する車載情報処理装置において、
前記入力検出部は、前記タッチパネルディスプレイに対する縦方向への入力操作を前記第２のユーザー操作として検出し、
前記サブコンテンツは、複数の選択項目を有し、
前記表示制御部は、
前記メインコンテンツの表示領域内において前記サブコンテンツに関連した前記選択項目を縦方向に並べ、前記メインコンテンツの表示領域の所定位置に表示された一つの前記選択項目を選択された状態を示す態様で表示し、
前記第２のユーザー操作が検出されたときに、前記メインコンテンツの表示領域内において前記選択項目を縦方向へ移動させるとともに、前記所定位置に表示される他の前記選択項目を前記態様で表示し、前記態様で表示された前記選択項目に基づいて前記車載機器を制御する
ことを特徴とする車載情報処理装置。
【請求項３】
請求項１又は請求項２に記載する車載情報処理装置において、
前記入力検出部は、前記タッチパネルディスプレイに対する横方向への入力操作を前記第１のユーザー操作として検出し、
前記表示制御部は、
前記タッチパネルディスプレイに前記メインコンテンツを横方向に並べ、前記メインコンテンツの一つを選択された状態を示す態様で表示し、
前記第１のユーザー操作が検出されたときに、前記タッチパネルディスプレイにおける前記メインコンテンツの表示領域を移動させず、他の前記メインコンテンツを選択された状態を示す態様で表示する
ことを特徴とする車載情報処理装置。
【請求項４】
請求項３に記載する車載情報処理装置において、
複数の前記メインコンテンツからなるメインコンテンツ群を複数有し、
前記表示制御部は、
前記タッチパネルディスプレイに一つの前記メインコンテンツ群に属する前記メインコンテンツを横方向に並べ、前記メインコンテンツの一つを選択された状態を示す態様で表示し、
前記タッチパネルディスプレイの一端側に表示された前記メインコンテンツが選択された状態で、前記タッチパネルディスプレイの外へ向かう前記第１のユーザー操作が検出されたときに、他の前記メインコンテンツ群に属する前記メインコンテンツを前記タッチパネルディスプレイに表示し、前記タッチパネルディスプレイの他端側に表示された前記メインコンテンツを前記態様で表示する
ことを特徴とする車載情報処理装置。
【請求項５】
請求項１から請求項４の何れか一項に記載する車載情報処理装置において、
前記表示制御部は、前記メインコンテンツに関連した前記サブコンテンツのうち、選択された頻度が最も多い前記サブコンテンツを、前記タッチパネルディスプレイに表示された前記メインコンテンツの表示領域に表示する
ことを特徴とする車載情報処理装置。
【発明の詳細な説明】
【技術分野】
【０００１】
本発明は、車両の各種装置を設定するための設定項目を表示し、搭乗者からの入力を受け付ける車載情報処理装置に関する。
【背景技術】
【０００２】
従来、自動車などの車両に搭載され、各種情報を表示する車載情報処理装置が知られている。また、車両に搭載された空調装置などの各種装置を制御するための画面をタッチパネルに表示し、タッチパネルからの入力に基づいて各種装置を制御する車載情報処理装置も知られている（例えば、特許文献１参照）。
【０００３】
車載情報処理装置の制御対象となる装置は複数存在し、また各装置についての設定項目も多岐わたる。具体的には、車載情報処理装置は、制御対象となる装置を選択させ、次いでその装置に関する設定項目を選択させる。このように、車載情報処理装置は、利用者に、段階的に各種装置の設定項目を入力させるような構成となっている。
【０００４】
しかしながら、このような構成の車載情報処理装置では、所望の設定項目にたどり着くまでに段階的に表示される設定項目を確認しなければならず、時間を要してしまう。
【０００５】
また、各種装置間で設定項目の選択方法が異なる場合がある。例えば、空調装置の温度設定は、タッチパネルに表示された温度を設定するためのボタンを押す入力操作により行い、ラジオの選局は、タッチパネルに対するスライド操作により行うなどである。このように各種装置の設定項目によって異なる入力操作は、利用者にとって複雑に感じられ、負担となる。
【先行技術文献】
【特許文献】
【０００６】
【特許文献１】特許第４９１９９３６号公報
【発明の概要】
【発明が解決しようとする課題】
【０００７】
本発明は上記事情に鑑みてなされたもので、車両に搭載された各種装置の操作設定を簡易な入力操作により行うことができる車載情報処理装置を提供することを目的とする。
【課題を解決するための手段】
【０００８】
上記課題を解決する本発明の第１の態様は、車載機器に関する情報である複数のメインコンテンツ及び前記車載機器の設定項目に関する情報である複数のサブコンテンツが記憶された記憶部と、前記メインコンテンツ及びサブコンテンツを表示し、入力操作を受け付けるタッチパネルディスプレイと、前記入力操作に基づいて第１のユーザー操作及び第２のユーザー操作を検出する入力検出部と、前記メインコンテンツ及び前記サブコンテンツを前記タッチパネルディスプレイに表示させ、前記メインコンテンツ及び前記サブコンテンツに対して前記第１のユーザー操作及び前記第２のユーザー操作が実行された際に前記車載機器を制御する表示制御部と、を備え、前記表示制御部は、複数の前記メインコンテンツを前記タッチパネルディスプレイに表示させ、前記メインコンテンツの表示領域内に、当該メインコンテンツの前記車載機器に対応した前記サブコンテンツの一つを表示し、前記第１のユーザー操作が検出されたときに、複数の前記メインコンテンツのうちの一つを選択状態とし、前記第２のユーザー操作が検出されたときに、選択状態にある前記メインコンテンツの表示領域内に表示された前記サブコンテンツに対応した設定項目について前記車載機器を制御することを特徴とする車載情報処理装置にある。
【０００９】
かかる第１の態様では、複数のメインコンテンツのそれぞれについて、一つのサブコンテンツをタッチパネルディスプレイにて一覧することができる。すなわち、各種車載装置の状態を同時に簡単に把握することができる。そして、メインコンテンツの選択を第１のユーザー操作により実現し、サブコンテンツの各設定項目の選択を第２のユーザー操作により実現する。すなわち、画面の遷移を経ることなく、タッチパネルディスプレイにおいて各種車載装置の設定を２種類の操作で行うことができる。
【００１０】
本発明の第２の態様は、第１の態様に記載する車載情報処理装置において、前記入力検出部は、前記タッチパネルディスプレイに対する縦方向への入力操作を前記第２のユーザー操作として検出し、前記サブコンテンツは、複数の選択項目を有し、前記表示制御部は、前記メインコンテンツの表示領域内において前記サブコンテンツに関連した前記選択項目を縦方向に並べ、前記メインコンテンツの表示領域の所定位置に表示された一つの前記選択項目を選択された状態を示す態様で表示し、前記第２のユーザー操作が検出されたときに、前記メインコンテンツの表示領域内において前記選択項目を縦方向へ移動させるとともに、前記所定位置に表示される他の前記選択項目を前記態様で表示し、前記態様で表示された前記選択項目に基づいて前記車載機器を制御することを特徴とする車載情報処理装置にある。
【００１１】
かかる第２の態様では、縦方向の第２のユーザー操作によってサブコンテンツの設定項目を選択する。それらの動作により設定項目は縦方向に移動するが、選択状態にある設定項目は常に表示領域内の所定位置に表示される。このような表示制御により、利用者の視線を上下方向に移動させることなく、所定位置に合わせたままとすることができる。これにより、利用者の視線移動を少なくすることができる。
【００１２】
本発明の第３の態様は、第１又は第２の態様に記載する車載情報処理装置において、前記入力検出部は、前記タッチパネルディスプレイに対する横方向への入力操作を前記第１のユーザー操作として検出し、前記表示制御部は、前記タッチパネルディスプレイに前記メインコンテンツを横方向に並べ、前記メインコンテンツの一つを選択された状態を示す態様で表示し、前記第１のユーザー操作が検出されたときに、前記タッチパネルディスプレイにおける前記メインコンテンツの表示領域を移動させず、他の前記メインコンテンツを選択された状態を示す態様で表示することを特徴とする車載情報処理装置にある。
【００１３】
かかる第３の態様では、横方向の第１のユーザー操作によってメインコンテンツの選択をする。選択するメインコンテンツを変更しても、メインコンテンツの表示領域は、タッチパネルディスプレイにおいて常に一定の場所に表示される。メインコンテンツの表示領域に変化がないので、タッチパネルディスプレイ全体のうち、どの車載機器に関するメインコンテンツがどこに表示されているかを容易に把握することができる。
【００１４】
本発明の第４の態様は、第３の態様に記載する車載情報処理装置において、複数の前記メインコンテンツからなるメインコンテンツ群を複数有し、前記表示制御部は、前記タッチパネルディスプレイに一つの前記メインコンテンツ群に属する前記メインコンテンツを横方向に並べ、前記メインコンテンツの一つを選択された状態を示す態様で表示し、前記タッチパネルディスプレイの一端側に表示された前記メインコンテンツが選択された状態で、前記タッチパネルディスプレイの外へ向かう前記第１のユーザー操作が検出されたときに、他の前記メインコンテンツ群に属する前記メインコンテンツを前記タッチパネルディスプレイに表示し、前記タッチパネルディスプレイの他端側に表示された前記メインコンテンツを前記態様で表示することを特徴とする車載情報処理装置にある。
【００１５】
かかる第４の態様では、複数のメインコンテンツ群ごとにメインコンテンツを切り替えて表示する。このような表示制御により、メインコンテンツの切り替え時に視線移動を少なくすることができる。
【００１６】
本発明の第５の態様は、第１から第４の何れか一つの態様に記載する車載情報処理装置において、前記表示制御部は、前記メインコンテンツに関連した前記サブコンテンツのうち、選択された頻度が最も多い前記サブコンテンツを、前記タッチパネルディスプレイに表示された前記メインコンテンツの表示領域に表示することを特徴とする車載情報処理装置にある。
【００１７】
かかる第５の態様では、利用者の使用状況に応じて、タッチパネルディスプレイに表示されるサブコンテンツの種別が自動的に選択されて表示される。これにより、利便性が向上した車載情報処理装置が提供される。
【発明の効果】
【００１８】
本発明によれば、車両に搭載された各種装置の操作設定を簡易な入力操作により行うことができる車載情報処理装置が提供される。
【図面の簡単な説明】
【００１９】
【図１】車載情報処理装置を備えた車両の概略構成図である。
【図２】タッチパネルディスプレイに表示された画面の例を示す図である。
【図３】タッチパネルディスプレイに表示された画面の例を示す図である。
【図４】タッチパネルディスプレイに表示された画面の例を示す図である。
【図５】タッチパネルディスプレイに表示された画面の例を示す図である。
【図６】タッチパネルディスプレイに表示された画面の例を示す図である。
【発明を実施するための形態】
【００２０】
以下、本発明を実施するための形態について説明する。なお、実施形態の説明は例示であり、本発明は以下の説明に限定されない。
【００２１】
〈実施形態１〉
図１は車載情報処理装置を備えた車両の概略構成図である。車両Ｉは、車載機器を複数有している。本発明でいう車載機器とは、車載情報処理装置１により制御可能な機器や機構をいう。車載機器の一例として、ラジオ２、電話３、空調装置４、ナビゲーションシステム５、サスペンション６、音響装置７が車両Ｉに搭載されている。
【００２２】
各車載機器は、車載情報処理装置１により制御可能な設定項目を有している。また各設定項目については、車載機器に設定される具体的な設定値など選択項目が定義されている。例えば、ラジオ２の設定項目としては音量、ラジオ局等であり、ラジオ局の選択項目としては具体的なラジオ局の周波数となる。
【００２３】
同様に、電話３の設定項目としては、音量、電話帳の選択等であり、電話帳の選択項目は電話番号等である。空調装置４の設定項目としては、運転席側の温度、助手席側の温度、風量、風向等である。温度に関しては、温度を段階的に表した数値「１６℃、１７℃、・・・、３５℃」が選択項目となる。風量に関しては、風量を段階的に表した数値「１、２、３、４・・・」が選択項目となる。風向に関しては、「足下、上半身、足下及び上半身」など運転者や助手席搭乗者への風向きが選択項目となる。ナビゲーションシステム５の設定項目としては目的地などの経路選択などである。経路選択に関しては「Ａルート、Ｂルート、・・・」など複数の経路が選択項目となる。サスペンション６の設定項目としては、サスペンション６の走行モード等である。この走行モードは、サスペンション６の全長が「低い（高速道路用）、中（砂地など未舗装道路用）、高い（露出した石があるなど荒れた路面）」など道路種別に応じた推奨の高さが選択項目となる。音響装置７の設定項目の例としては音量やトラック（ＣＤの曲番号）が上げられる。この音量に関しては、音量の大きさを段階的に表した数値「１、２、３、４・・・」が選択項目となり、トラックに関してはトラックの番号を表した数値「０１、０２、・・・」が選択項目となる。
【００２４】
車載情報処理装置１は、各種処理を実行する本体部１０と、各種情報を表示するとともに、入力操作を受け付けるタッチパネルディスプレイ２０とを備えている。
【００２５】
タッチパネルディスプレイ２０は、本体部からの制御により各種情報を画面に表示し、また、画面に対する入力操作を電気信号として本体部に伝達する。この電気信号は、画面内において、画面に触れた指の位置を表す信号である。
【００２６】
本体部１０は、Ｅｌｅｃｔｒｏｎｉｃ  Ｃｏｎｔｒｏｌ  Ｕｎｉｔ（ＥＣＵ）として構成されている。本体部１０は、入力検出部１１と、記憶部１２と、表示制御部１３とを備えている。
【００２７】
入力検出部１１は、タッチパネルディスプレイ２０への入力操作を表す電気信号に基づいて、第１のユーザー操作又は第２のユーザー操作を検出する。ユーザー操作とは、タッチパネルディスプレイ２０に触れた指の一連の動きをいう。ユーザー操作の例としては、スライド動作、クリック動作、ピンチ動作などである。
【００２８】
スライド動作は、画面で指を上下方向、左右方向に移動させる動きをいう。入力検出部１１は、タッチパネルディスプレイ２０の画面に触れた指の位置の変化に基づいて、スライド動作を検出する。指が始点から左方向に移動したスライド動作を左スライド動作と称する。同様に指が始点から右方向、上方向、下方向に移動したスライド動作を右スライド動作、上スライド動作、下スライド動作と称する。
【００２９】
本実施形態では、第１のユーザー操作は、左スライド動作及び右スライド動作とし、第２のユーザー操作は、上スライド動作及び下スライド動作とする。
【００３０】
なお、クリック動作とは、タッチパネルディスプレイ２０の画面を指が短時間に一点を触った動作である。また、ピンチ動作とは、タッチパネルディスプレイ２０の画面を二本の指で触れた状態で、その二本の指先が接近又は離隔する動作である。
【００３１】
記憶部１２は、メインコンテンツ及びサブコンテンツが記憶されている。
メインコンテンツとは、車載機器に関する情報であり、車載機器ごとに複数定義されている。メインコンテンツは、具体的には、車載機器の名称、車載機器に関連した設定項目（サブコンテンツ）の一覧、及びタッチパネルディスプレイ２０に表示される際の表示形態等を含む。表示形態とは、メインコンテンツがタッチパネルディスプレイ２０に表示される際の画像やその画像の位置、大きさ、範囲等である。
【００３２】
サブコンテンツとは、車載機器の設定項目に関する情報であり、一つのメインコンテンツについて複数定義されている。具体的には、設定項目の名称や設定項目に関する選択項目、タッチパネルディスプレイ２０に表示される際の表示形態を含む。表示形態とは、サブコンテンツがタッチパネルディスプレイ２０に表示される際の画像やその画像の位置、大きさ、範囲等である。
【００３３】
また、記憶部１２には、複数のメインコンテンツからなるメインコンテンツ群も記憶されている。表１にメインコンテンツ群、メインコンテンツ及びサブコンテンツの関係を示す。
【表１】
2017047781.tif 000003
【００３４】
表１に示すように、本実施形態では、二つのメインコンテンツ群が記憶部１２に記憶されている。メインコンテンツ群の「１」を第１のメインコンテンツ群と称し、「２」を第２のメインコンテンツ群と称する。第１のメインコンテンツ群には、ナビゲーションシステム５、ラジオ２、空調装置４、電話３、サスペンション６に関する情報であるメインコンテンツが属している。第２メインコンテンツ群には、音響装置７やその他の車載機器に関するメインコンテンツが属している。また、各メインコンテンツに対応づけられたサブコンテンツが記憶部１２に記憶されている。さらに、各サブコンテンツにはそのメインコンテンツに関する車載機器に設定可能な選択項目（設定値）が記憶されている。
【００３５】
このようにメインコンテンツ群、メインコンテンツ、サブコンテンツ及び選択項目を記憶部１２に記憶することで、特定のメインコンテンツ群に属するメインコンテンツを読み出し、また各メインコンテンツに属するサブコンテンツ及び選択項目を読み出すことが可能となっている。
【００３６】
表示制御部１３は、メインコンテンツ及びサブコンテンツを画面に表示し、メインコンテンツ及びサブコンテンツに対して第１のユーザー操作及び第２のユーザー操作が実行された際に車載機器を制御する。
【００３７】
図２から図５を用いて、表示制御部１３による表示及び制御について説明する。図２から図５は、タッチパネルディスプレイに表示された画面の例を示す図である。
図２に示すように、表示制御部１３は、タッチパネルディスプレイ２０の画像を表示する表示部２１に、メインコンテンツを表示する。本実施形態では、横方向に並設された５つのメインコンテンツからなる画像が表示部２１に表示されている。
【００３８】
表示制御部１３は、各メインコンテンツを、矩形状のカード型の画像として表示部２１に表示する。表示部２１の最も左側には、ナビゲーションシステム５に関するメインコンテンツが表示されている。このメインコンテンツの矩形の領域をメインコンテンツの表示領域Ａと称する。同様に、表示領域Ａの右側には、ラジオ２、空調装置４、電話３、及びサスペンション６（車高調整機構）に関する各メインコンテンツの表示領域Ｂ、表示領域Ｃ、表示領域Ｄ、及び表示領域Ｅが横方向に並設して表示されている。なお、これらの表示領域Ａから表示領域Ｅを特に区別しないときは、単に表示領域ともいう。
【００３９】
図２に示すように、表示制御部１３は、まず、初期状態として、表示部２１の最も左側の表示領域Ａが選択された状態で表示する。選択状態を表す態様としては、利用者が選択したメインコンテンツであることを識別できるような態様であれば特に限定はない。本実施形態では、メインコンテンツの表示領域を囲う高輝度色の枠Ｆが選択状態を表す態様である。
【００４０】
図３に示すように、次に、表示制御部１３は、第１のユーザー操作が検出されたとき、他のメインコンテンツを選択状態とする。本実施形態では、入力検出部１１が第１のユーザー操作として右スライド動作を検出したとき、表示制御部１３は、表示部２１においてメインコンテンツの表示領域Ａから表示領域Ｅを移動させず、表示領域Ａとは異なる他の表示領域Ｂを選択状態とする。
【００４１】
そして、表示制御部１３は、表示領域Ｂの周囲を高輝度色の枠Ｆで囲うように表示し、表示領域Ａの周囲の表示を元に戻す。すなわち、表示制御部１３は、表示部２１において表示領域Ａから表示領域Ｅの表示位置を変更せずに、枠Ｆの位置を横方向に移動させ、隣の表示領域に選択状態が移ったことを利用者に提示する。
【００４２】
このように、表示制御部１３は、第１のユーザー操作に基づいて、表示部２１に表示されたメインコンテンツの何れか一つを選択状態とし、利用者が設定変更しようとする対象の車載機器を特定する。なお、特に図示しないが、表示制御部１３は、右スライド動作と同様に、左スライド動作が検出されたとき、一つ左側の表示領域を選択状態とする。
【００４３】
図２及び図３に示した例では、表１の第１のメインコンテンツ群に属するメインコンテンツを表示部２１に表示した。表示部２１に全てのメインコンテンツが表示しきれない場合などでは、第１のメインコンテンツ群、第２のメインコンテンツ群ごとに表示部２１に表示してもよい。
【００４４】
例えば、表示部２１の一端側（右端側）に表示されたメインコンテンツの表示領域Ｅが選択された状態であるとする。
【００４５】
図４に示すように、その状態で表示部２１に対して表示部２１の外側へ向かう右スライド動作が検出されたときに、表示制御部１３は、第２のメインコンテンツ群（請求項の他のメインコンテンツ群）に属するメインコンテンツを表示部２１に表示する。
【００４６】
ここでは、第２のメインコンテンツ群に属するメインコンテンツの一つである、音響装置が表示領域Ａに表示され、そのサブコンテンツの一つであるトラックに関する設定項目が表示されている。なお、表示領域ＢからＥの図示は省略しているが、第２のメインコンテンツ群に属するメインコンテンツ及びそのサブコンテンツが表示される。
【００４７】
そして、表示制御部１３は、表示部２１の他端側（左端側）に表示されたメインコンテンツの表示領域Ａを、選択状態を表す枠Ｆで表示する。
【００４８】
このように、メインコンテンツの総数が表示部２１に入りきらない場合は、複数のメインコンテンツ群に区分し、メインコンテンツ群ごとで切り替えて表示部２１に表示するようにしてもよい。
【００４９】
また、図５（ａ）に示すように、表示制御部１３は、メインコンテンツの各表示領域Ａから表示領域Ｅに、各メインコンテンツに関連したサブコンテンツを表示する。表１に示したように、メインコンテンツには複数のサブコンテンツが関連している。表示制御部１３は、それらのサブコンテンツから任意の一つを選択して、メインコンテンツの表示領域に表示する。さらに、表示制御部１３は、選択されたメインコンテンツの表示領域には、サブコンテンツの選択項目を縦方向に並べて表示する。
【００５０】
なお、サブコンテンツを選択する基準について特に限定はないが、例えば、過去に選択された頻度が最も多いサブコンテンツを選択してメインコンテンツの表示領域に表示することが挙げられる。他にも、前回操作したサブコンテンツを表示領域に表示してもよい。
【００５１】
また、各表示領域に表示されるサブコンテンツの表示態様、すなわちサブコンテンツをどの様に表示領域に表示するかを表す文字や画像等の情報は、記憶部１２に予め記憶されている。
【００５２】
例えば、表示領域Ａについては、ナビゲーションシステム５のサブコンテンツの一つである道案内についての画像が表示されている。具体的には、１．３ｋｍ後に右折を指示する矢印を含む画像が表示されている。なお、表１に示したように、道案内については特に選択項目はなく、単に情報を表示するだけのものである。この道案内のように、利用者から選択される選択項目を持たず、情報提示するだけのサブコンテンツを表示領域に表示してもよい。
【００５３】
表示領域Ｂについては、ラジオ２のサブコンテンツの一つであるラジオ局についての画像が表示されている。具体的には、ラジオ局の名称やその周波数を表す画像が表示されている。
【００５４】
表示領域Ｃは、上述した第１のユーザー操作により選択状態とされ、枠Ｆにより強調表示されている。そして、表示領域Ｃ内には、空調装置４のサブコンテンツの一つである運転席側の温度についての画像が表示されている。詳細は後述するが、空調装置４に設定可能な温度に関する選択項目「２３、２４、２５、２６」（単位は℃）が縦方向に表示されている。
【００５５】
表示領域Ｄについては、電話３のサブコンテンツの一つである通話についての画像が表示されている。具体的には受話器を取り上げる画像が表示されている。
表示領域Ｅについては、サスペンション６のサブコンテンツの一つである走行モードについての画像が表示されている。具体的には、走行モードが想定する道路の画像が表示されている。
【００５６】
上述したように表示されたサブコンテンツに対して第２のユーザー操作が検出された時の処理について説明する。
【００５７】
まず、表示制御部１３は、空調装置４のメインコンテンツが第１のユーザー操作によって選択状態とされたとき、表示領域Ｃのうち所定位置Ｐを中心に空調装置４の温度の選択項目を縦方向に並べて表示する。具体的には、表示制御部１３は、所定位置Ｐを表示領域Ｃのほぼ中央部とし、運転席側の温度の選択項目である「１６℃から３５℃」のうち、空調装置４の運転席側の現在の設定温度（ここでは「２５℃」）が所定位置Ｐに表示されるように、その設定温度前後の「２４から２６℃」を縦方向に並べて表示する。
【００５８】
表示制御部１３は、所定位置Ｐに表示された選択項目を、選択された状態を示す態様として表示する。本実施形態では、所定位置Ｐに表示される選択項目を太字で表示する態様としてある。
【００５９】
次に、図５（ｂ）に示すように、表示制御部１３は、第２のユーザー操作が検出されたときに、メインコンテンツの表示領域Ｃ内において選択項目を縦方向へ移動させる。例えば、第２のユーザー操作として上スライド動作が検出されたとき、設定温度を下げる処理を行う。具体的には、上スライド動作が検出されたとき、設定温度「２４℃」が所定位置Ｐに表示されるように、その設定温度前後の「２３から２５℃」を縦方向に並べて表示する。
【００６０】
そして、表示制御部１３は、新たに所定位置Ｐに表示された次の選択項目（請求項の他の選択項目）である「２４℃」を、選択された状態を示す態様として太字で表示し、第２のユーザー操作がなされる前に選択されていた「２５℃」については元の表示に戻す。
【００６１】
すなわち、表示制御部１３は、選択項目については第２のユーザー操作に基づいて縦方向に移動させて表示する一方で、選択項目が選択された状態を表す太字による表示は、表示領域Ｃ内において常に一定の所定位置Ｐのみで行うようにする。このようにして、表示制御部１３は、選択状態にある選択項目は常に所定位置Ｐで表示しながら、選択項目が変更されたことを利用者に提示する。
【００６２】
表示制御部１３は、このようにして選択された選択項目が「２５℃」から「２４℃」に変更したとき、その変更後の選択項目に基づいて空調装置４を制御する。表示領域Ｃに表示されたサブコンテンツは運転席側の温度に関するものであるから、表示制御部１３は、空調装置４に対して、運転席側の温度を２４℃に設定する制御を行う。
【００６３】
なお、特に図示しないが、運転席側の温度と同様に、他のメインコンテンツのサブコンテンツに関する選択項目の選択についても、選択項目の表示、選択項目の変更、及び選択項目の変更に基づく制御を行うことができる。また、表示制御部１３は、上スライド動作と同様に、下スライド動作が検出されたとき、選択項目を下側に移動させ、選択項目を「２５℃」から「２６℃」のように別の選択項目を選択状態とする。
【００６４】
以上に説明したように、本実施形態に係る車載情報処理装置１では、各種車載装置に関するメインコンテンツを表示部２１に一覧表示し、そのメインコンテンツの表示領域に、各種車載装置の設定項目を表すサブコンテンツを表示する。このような表示態様により、複数のメインコンテンツのそれぞれについて、一つのサブコンテンツを表示部２１にて一覧することができる。すなわち、各種車載装置の状態を同時に簡単に把握することができる。
【００６５】
そして、車載情報処理装置１は、これらのメインコンテンツの選択を第１のユーザー操作により実現し、サブコンテンツの各選択項目の選択を第２のユーザー操作により実現する。すなわち、メインコンテンツ、サブコンテンツの順に表示部２１に表示させるような遷移を経ることなく、各種車載装置の設定を２種類の操作で行うことができる。
【００６６】
従来では、メインコンテンツ及びサブコンテンツのように階層的な選択項目が存在する場合、メインコンテンツを選択したのち、そのメインコンテンツに属する複数のサブコンテンツを表示するサブ画面に遷移させ、サブ画面において何れか一つのサブコンテンツを選択させ、そのサブコンテンツの選択項目を選択する操作を行う必要がある。しかし、本発明の車載情報処理装置１では、このような階層を追って選択項目を選択する必要がなく、表示部２１に表示されたメインコンテンツ及びサブコンテンツに対する操作で設定操作を実現することができる。
【００６７】
また、どのメインコンテンツ及びサブコンテンツについても、第１のユーザー操作（上スライド・下スライド動作）及び第２のユーザー操作（左スライド動作・右スライド動作）の二種類で統一的に選択項目を選択することができる。これにより、利用者に統一的で分かりやすい操作体系を提供することができ、設定操作の負担を軽減できる。
【００６８】
このように、本発明によれば、車両に搭載された各種車載の操作設定を簡易な入力操作により行うことができる。
【００６９】
本発明の車載情報処理装置１では、縦方向の上スライド動作・下スライド動作によってサブコンテンツの選択項目を選択する。それらの動作により選択項目は縦方向に移動するが、選択状態にある選択項目は常に表示領域内の所定位置Ｐに表示される。このような表示制御により、利用者の視線を上下方向に移動させることなく、所定位置Ｐに合わせたままとすることができる。これにより、利用者の視線移動を少なくすることができる。例えば、車両の前方とタッチパネルディスプレイ２０とを視界に入れたとき、下スライド動作を行っても、選択項目を追って視線を大幅に下げなくてすみ、車両の前方から目を大きく離さずにタッチパネルディスプレイ２０の操作を行える。
【００７０】
本発明の車載情報処理装置１では、横方向の左スライド動作・右スライド動作によってメインコンテンツの選択をする。それらの動作によりメインコンテンツが選択された状態であることを示す枠Ｆは横方向に移動するが、メインコンテンツの表示領域自体は移動しない。このように選択するメインコンテンツを変更しても、メインコンテンツの表示領域は、表示部２１内の常に一定の場所に表示される。このようにメインコンテンツの表示領域に変化がないので、表示部２１全体のうち、どの車載機器に関するメインコンテンツがどこに表示されているかを容易に把握することができる。
【００７１】
仮に、横方向の左スライド動作・右スライド動作によってメインコンテンツの表示領域を横方向に移動させ、表示部２１の中央に位置するメインコンテンツを選択状態とする場合では、中央に位置するように選択したメインコンテンツによって、各メインコンテンツの表示部２１における配置は異なる。このような場合では、設定変更しようとする対象のメインコンテンツが表示部２１のどこに位置しているかを確認する必要があり、メインコンテンツの所在確認に若干時間を要してしまう。
【００７２】
本発明の車載情報処理装置１では、複数のメインコンテンツ群ごとにメインコンテンツを切り替えて表示部２１に表示するようにした。このような表示制御により、メインコンテンツの切り替え時に視線移動を少なくすることができる。
【００７３】
仮に、第１のメインコンテンツ群に属するメインコンテンツを一つ左に移動させ、第２のコンテンツ群に属するメインコンテンツの一つを表示部２１の最も右側に表示する場合では、メインコンテンツの表示位置が変化することになる。この場合、上述したようにメインコンテンツの位置を確認する必要が生じてしまう。
【００７４】
しかしながら、本発明の車載情報処理装置１では、メインコンテンツ群ごとに切り替えて表示部２１に表示するので、メインコンテンツの横方向への移動を目で追う必要がなく、視線移動を少なくできる。また、各メインコンテンツ群に属するメインコンテンツは、表示部２１における表示位置は常に一定であるので、選択したいメインコンテンツを容易に発見することができる。
【００７５】
本発明の車載情報処理装置１では、メインコンテンツの表示領域に表示するサブコンテンツは、選択項目の選択が行われた頻度が最も多いサブコンテンツとした。すなわち、利用者の使用状況に応じて、表示部２１に表示されるサブコンテンツの種別が自動的に選択されて表示される。これにより、利便性が向上した車載情報処理装置１が提供される。
【００７６】
〈実施形態２〉
実施形態１に係る車載情報処理装置１では、メインコンテンツの表示領域に、サブコンテンツの一つを自動的に選択して表示したが、このような態様に限定されない。例えば、メインコンテンツに属する複数のサブコンテンツを表示部２１に並べて表示し、利用者にサブコンテンツを選択させるようにしてもよい。
【００７７】
図６はタッチパネルディスプレイ２０に表示された画面の例を示す図である。なお、実施形態１と同一のものには同一の符号を付し、重複する説明は省略する。
【００７８】
特に図示しないが、実施形態１に例示した空調装置に関する表示領域Ｂに対してクリック動作が成されたことを検出したとする。このとき、表示制御部１３は、空調装置に関するメインコンテンツに属する４つのサブコンテンツを矩形状のカード型の画像として表示部２１に表示する。
【００７９】
４つのサブコンテンツは、運転手側の温度、風量、風向、助手席側の温度に関するものである。それぞれのサブコンテンツが表示された領域を表示領域Ａから表示領域Ｄと称する。
【００８０】
このようにサブコンテンツを表示した状態において、第１のユーザー操作として左スライド動作又は右動作スライドが検出されたとき、表示制御部１３は、枠Ｆを横方向に移動させ、何れか一つのサブコンテンツを選択された状態で表示する。このサブコンテンツの選択は、実施形態１で説明したメインコンテンツの選択と同様であるので詳細な説明は省略する。
【００８１】
そして、選択されたサブコンテンツの表示領域において第２のユーザー操作として上スライド動作又は下スライド動作が検出されたとき、表示制御部１３は、選択項目を縦方向に移動させ、所定位置Ｐにある選択項目を、選択された状態で表示する。
【００８２】
同図に示した例では、運転席側の温度に関するサブコンテンツが選択された状態である。そして、上スライド動作又は下スライド動作が検出されたとき、「２４、２５、２６、２７℃」という各選択項目を縦方向に移動させ、所定位置Ｐに位置する選択項目を新たに選択された状態で表示する。この選択項目の選択は、実施形態１で説明した選択項目の選択と同様であるので詳細な説明は省略する。
【００８３】
実施形態１で説明したように、表示部２１にはサブコンテンツの一つしか表示されないが、本実施形態で説明したように、複数のサブコンテンツのうち所望のサブコンテンツを選択し、所望の選択項目に変更することができる。
【００８４】
なお、表示部２１には、サブコンテンツを表示するのみならず、表示部２１に表示されているメインコンテンツ及びサブコンテンツに関連した画像を表示してもよい。ここでは空調装置に関するメインコンテンツ及びサブコンテンツが表示されている。それらに関連した画像として、車室前部に送られる空調装置からの風向・風量を示すアニメーション画像が表示部２１の右側に表示されている。
【００８５】
アニメーション画像は、左側に運転手席、右側に助手席を表示し、空調装置から送風される風向や風量をアニメーションで表示した画像である。例えば、表示領域Ａの選択項目について上スライド動作又は下スライド動作により運転席側の温度を設定変更した場合、表示制御部１３は、左側の運転手席に向かう風の温度に対応した色で矢印を表示する。具体的には、表示制御部１３は、高い温度であるほど暖色系が強まり、低い温度であるほど寒色系が強まった色の矢印を表示する。表示領域Ｄの助手席側の温度についても同様である。
【００８６】
また、表示領域Ｂの選択項目について上スライド動作又は下スライド動作により風量を設定変更した場合、表示制御部１３は、設定した風量が高いほど風を表す矢印を太く表示し、設定した風量が低いほど風を表す矢印を細く表示する。
【００８７】
さらに、表示領域Ｃの選択項目について上スライド動作又は下スライド動作により風向を設定変更した場合、表示制御部１３は、設定した風向を矢印で示す。例えば、足下に風向を設定した場合では、運転席及び助手席の足下近傍に延びる矢印を表示する。同様に上半身に風向を設定した場合では、運転席及び助手席の上半身近傍に延びる矢印を表示する。足下及び上半身に風向を設定した場合では、運転席及び助手席の足下及び上半身近傍に延びる矢印を表示する。
【００８８】
サブコンテンツに表示された選択項目は、運転席側又は助手席側が何℃に設定されるか、風量はどのぐらいに設定されるか、風向はどのような向きであるか、といったように、設定した結果として得られる効果を利用者に確認させる作用を有する。一方、アニメーション画像は、どの様な風向・風量・温度で送風されるか、といったように、設定内容がどの様に実現されるかを視覚的に利用者に確認させる作用を有する。
【００８９】
このように、表示制御部１３は、選択項目を選択して設定した内容に応じたアニメーション画像を、サブコンテンツと一緒に表示部２１に表示する。この結果、利用者は、設定内容が車両に対してどの様に反映されたかを把握し、所望する設定がどの様に実現されるかを視覚的に確認できるので、設定ミスを低減することができる。
【００９０】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００９１】
例えば、横方向のスライド動作を第１のユーザー動作とし、縦方向のスライド動作を第２のユーザー動作としたが、これに限定されない。第１のユーザー動作及び第２のユーザー動作は、タッチパネルディスプレイ２０に入力される動作であり、互いに区別できる動作であればよい。
【００９２】
横方向にメインコンテンツを並設し、縦方向に選択項目を並設したがこれに限定されず、任意の異なる２つの方向のそれぞれに、メインコンテンツ及び選択項目を並設してもよい。
【００９３】
メインコンテンツの対象となる車載機器は実施形態１に記載したものに限定されず、車載情報処理装置１により制御可能な機器であれば特に限定はない。
【産業上の利用可能性】
【００９４】
本発明は、自動車の産業分野で利用することができる。
【符号の説明】
【００９５】
Ｉ     車両
１     車載情報処理装置
１０   本体部（ＥＣＵ）
１１   入力検出部
１２   記憶部
１３   表示制御部
２０   タッチパネルディスプレイ
２１   表示部
【図１】
2017047781.tif 000004
【図２】
2017047781.tif 000005
【図３】
2017047781.tif 000006
【図４】
2017047781.tif 000007
【図５】
2017047781.tif 000008
【図６】
2017047781.tif 000009